(57)【要約】    【課題】標示板をむらなく均一に、かつ、効率よく照らすことができる内照式標示装置を提供する。    【解決手段】箱体２の正面側の開口を塞ぐように、半透光性の標示板１を設ける。箱体２に蛍光灯３を内装し、標示板１の背面側に位置させる。蛍光灯３の発する光を拡散しつつ標示板１に向けて反射する光拡散性を有する反射板４を設ける。反射板４を平板状として、箱体２の内面のうちの少なくとも背面側の面を覆うように設ける。反射板４が光を拡散反射することにより、各蛍光灯３が照らす領域が標示板１の全面に広がる。標示板１がむらなく均一に照らされる。箱体２の背面側からの光の漏れ出しや吸収が阻止される。【選択図】  図１
0003107982.tif 000002
【実用新案登録請求の範囲】
【請求項１】
正面側に開口を有する箱体と、該箱体の開口を塞ぐように設けられた半透光性の標示板と、該標示板の背面側に位置するように前記箱体に内装された光源と、該光源の発する光を拡散しつつ前記標示板に向けて反射する光拡散性を有する反射板とを備え、
前記反射板は、平板状とされて箱体の内面のうちの少なくとも背面側の面を覆うように設けられたことを特徴とする内照式標示装置。
【請求項２】
前記反射板は、箱体の内面における両側面、天面および底面のうち、前記光源の周面に対向する面を覆うように設けられたことを特徴とする請求項１に記載の内照式標示装置。
【請求項３】
複数の前記光源が設けられたことを特徴とする請求項１又は２に記載の内照式標示装置。
【請求項４】
前記光源は、蛍光灯とされたことを特徴とする請求項１、２又は３に記載の内照式標示装置。
【考案の詳細な説明】
【技術分野】
【０００１】
本考案は、例えば内照式案内標識や内照式看板のような内照式標示装置に関するものである。
【背景技術】
【０００２】
一般に、内照式案内標識や内照式看板のような内照式標示装置は、表示内容を付した半透光性の標示板に背面側から光を照射することにより、標示面を明るくしてその視認性を高めている（例えば特許文献１）。
【０００３】
図３は特許文献１の内照式標示装置の内部を示す図、図４は従来の一般的な内照式標示装置の斜視図である。これらの内照式標示装置は、正面側が開口された箱体１０１に、その開口を塞ぐように標示板１０２を装着すると共に、箱体１０１に、標示板１０２のバックライトとしての複数本の蛍光灯（光源）１０３を内装した構造とされる。
【０００４】
各蛍光灯１０３の背面側には、蛍光灯１０３の発する光を標示板１０２に向けるための反射板１０４がそれぞれ設けられ、蛍光灯１０３の発した光が直接、あるいは反射板１０４で反射されて標示板１０２に向かうようになっている。反射板１０４は、各蛍光灯１０３の背面側を包むように、蛍光灯１０３の長さ方向に直交する方向における両側が正面側に突出され、蛍光灯１０３が発する光を効率よく正面側に向けるようにしている。
【特許文献１】特開２０００−１６２９９１号公報（第５図）
【考案の開示】
【考案が解決しようとする課題】
【０００５】
ところが、上記の内照式標示装置は、蛍光灯（光源）ごとに、その背面側を包むように反射板を設けているので、標示板のうち、各蛍光灯によって照らされる領域の間に、光が十分に行き渡らない部分、あるいは隣接する蛍光灯によって二重に照らされる部分ができやすく、標示板に明るさのむらが生じるおそれがある。また、反射板と反射板との隙間における光の漏れ出しや吸収により、蛍光灯の標示板を照らす効率を低下させるおそれがある。
【０００６】
本考案は、標示板をむらなく均一に、かつ、効率よく照らすことができる内照式標示装置を提供することを目的とする。
【課題を解決するための手段】
【０００７】
上記目的を達成するために、本考案が提供する内照式標示装置は、正面側に開口を有する箱体と、箱体の開口を塞ぐように設けられた半透光性の標示板と、標示板の背面側に位置するように箱体に内装された光源と、光源の発する光を拡散しつつ標示板に向けて反射する光拡散性を有する反射板とを備えたものであり、その反射板を平板状として、箱体の内面のうちの少なくとも背面側の面を覆うように設けたものである。
【０００８】
この構成によると、光拡散性を有する平板状の反射板を、箱体の内面のうちの少なくとも背面側の面を覆うように設けるので、光源が照らす領域を標示板の全面に広げて標示板をむらなく均一に照らすと共に、箱体の背面側からの光の漏れ出しや吸収を阻止して標示板を効率よく照らすことができる。
【０００９】
反射板により、箱体の内面における両側面、天面および底面のうち、光源の周面に対向する面を覆えば、これらの面からの光の漏れ出しや吸収を阻止して、標示板を照らす効率をより高めることができる。
【００１０】
本考案の内照式標示装置は、一つの光源だけを備えたものであってもよいが、上記の構成を複数の光源を有する内照式標示装置に採用すれば、本考案の好適な態様を提供することができる。すなわち、各光源が照らす領域を標示板の全面に広げるので、それぞれの光源が照らす領域の間に、光が十分に行き渡らない部分や、隣接する光源によって二重に照らされる部分が生じることを防止することができる。さらに、複数の光源のうちのいずれかが消灯した場合であっても、標示板の全体を極力均一な明るさにすることができる。
【００１１】
光源としては、ＬＥＤなどのあらゆるものを採用可能であるが、光源として蛍光灯を採用すれば、本考案の好適な態様を提供することができる。つまり、蛍光灯は一つの大きさが大きい場合が多く、従来の内照式標示装置では、蛍光灯の位置する部位と他の部位とで、標示面の明るさの差が目立ちやすいが、本考案により、その明るさの差を解消することができる。
【考案の効果】
【００１２】
以上のとおり、本考案によると、各光源のそれぞれが標示板の全面を照らすようにすると共に、箱体の背面側や、両側面、天面、床面などからの光の漏れ出しや吸収を阻止するようにしている。これにより、標示板をむらなく均一に、かつ、効率よく照らすことができるので、標示板の視認性を高めると共に、光源の省エネルギー化を図ることができる。
【考案を実施するための最良の形態】
【００１３】
以下、本考案に係る内照式標示装置を実施するための最良の形態について、図面を用いて説明する。図１は本考案に係る内照式標示装置の斜視図であり、図２はＡ−Ａ断面図である。
【００１４】
この内照式標示装置は、表示内容を付した半透光性の標示板１に背面側から光を照射することにより、標示面を明るくしてその視認性を高めるようにするものであり、標示板１と、標示板１を装着する開口を正面側に有する箱体２と、標示板１の背面側に位置するように箱体２に内装された複数の蛍光灯（光源）３と、蛍光灯３の発する光を拡散しつつ標示板１に向けて反射する光拡散性を有する反射板４とを備えている。
【００１５】
標示板１は、例えば、表示内容を示すアクリル板や、透明板又は半透明板の表面に表示内容を示す繊維シートを貼り付けたものである。
【００１６】
箱体２は、アルミニウムなどの金属や合成樹脂などからなり、両側板２ａ、天板２ｂおよび底板２ｃにより、前後方向に薄い直方体を構成している。箱体２の正面側の開口には、断面略Ｌ字形で全体としてロ字形を構成する標示枠５が外嵌され、この標示枠５と箱体２の開口周縁に設けられた鍔６との間に、長方形の標示板１の周縁部を保持するようになっている。これにより、標示板１が箱体２にその開口を塞ぐように装着される。
【００１７】
反射板４は、平板状で光拡散性を有するものとされ、箱体２の内面のうちの背面側の面と、両側面とを覆うように配置される。なお、箱体２の背面側には、複数本の桟材７が上下方向に間隔をあけて水平方向に架け渡され、この桟材７と箱体２の両側板２ａとに反射板４が取り付けられる。
【００１８】
反射板４のうち、箱体２の背面側を覆う部位に、引抜型材８で支持された複数の蛍光灯３がその長さ方向を上下に向けて左右に並設されている。これにより、箱体２の背面側の面および両側面が蛍光灯３の周面に対向し、この蛍光灯３の周面に対向する面を覆う反射材４が蛍光灯３の発した光を拡散しつつ反射して、正面側に位置する標示板１の広範囲の領域に光を向けるようになっている。
【００１９】
光拡散性を有する反射板は、内照式標示装置や照明器具の反射板として一般に用いられるものであり、反射面に微細な凹凸を形成したものや、反射層としての金属層に拡散層としての樹脂フィルム層を積層したものなど、あらゆるものを採用することができる。金属層に樹脂フィルム層を積層したものとして、例えば三菱樹脂社製のヒシメタル（登録商標）を例示できる。
【００２０】
次に、蛍光灯３の発する光が標示板１を照らす様子を説明する。図２に示すように、蛍光灯３が発した光９、１０のうちの一部の光９は、直接に標示板１に向かって進み、さらにその一部の光１１が正面側に透過し、残りの光１２が背面側に反射される。蛍光灯３が発した光９、１０のうちの光１０と、標示板１で反射された光１２とは、反射板４に向かって進み、反射板４で拡散されつつ反射される。拡散反射された光１３、１４は標示板１に向かい、その一部の光１５、１６が標示板１を背面側から正面側に透過し、残りの光１７、１８が標示板１の背面で反射されて反射板４に向かう。この拡散反射が繰り返されて標示板１の全面が均一かつ効率的に照らされる。
【００２１】
上記構成によれば、各蛍光灯３の発する光９、１０が、標示板１と反射板４との間で反射しながら拡散するので、各蛍光灯３のそれぞれが標示板１の全面を照らす。これにより、標示板１の明るさのむらをなくすことができる。しかも、箱体２の内面のうち、蛍光灯３の周面に対向する面を反射板４で覆っているので、標示板１を除く部位における光の漏れ出しや吸収を阻止して、標示板１を効率よく照らすことができる。
【００２２】
なお、本考案は、上記の実施に形態に限定されるものではなく、本考案の範囲内において、適宜変更を加えることができる。例えば、標示板１および箱体２は長方形および直方体に限らず、円形や多角形などどのようなものでもよい。
【００２３】
蛍光灯３は、その長さ方向を上下に向けて、複数本の蛍光灯３を左右に配列する代わりに、長さ方向を左右に向けて、複数本の蛍光灯３を上下に配列してもよい。この場合、箱体２の内面のうちの天面および床面を反射板４で覆うのがよい。また、複数本の蛍光灯３を設ける代わりに、１本の蛍光灯３だけを設けてもよく、蛍光灯３の形状も棒状のものに限らず、環状の蛍光灯３であってもよい。さらに、蛍光灯３に代えて、ＬＥＤなどの他の光源を採用してもよい。
【図面の簡単な説明】
【００２４】
【図１】本考案に係る内照式標示装置の斜視図
【図２】図１のＡ−Ａ断面図
【図３】従来の内照式標示装置の内部を示す図
【図４】従来の内照式標示装置の斜視図
【符号の説明】
【００２５】
１    標示板
２    箱体
３    蛍光灯
４    反射板
【図１】
0003107982.tif 000003
【図２】
0003107982.tif 000004
【図３】
0003107982.tif 000005
【図４】
0003107982.tif 000006